(57)【要約】【課題】緊急地震速報を受信したときに、電子情報に対する編集履歴情報を待避させる。【解決手段】編集履歴記録部２２ｂは、操作検出部２２ａから供給された電子情報の編集操作の内容を表す信号に基づいて、編集操作の内容を編集履歴情報としてメモリ２２ｈに一時的に記録する。編集履歴HDD保存部２２ｃは、緊急地震速報受信部２２ｅから緊急地震速報を受信したとき、メモリ２２ｈから編集履歴情報を読み出してHDD２２ｉに保存する。ファイル構築部２２ｇは、電子情報のファイル構築が指示されたとき、HDD２２ｉに保存されている編集履歴情報を電子情報に反映してファイル構築を行う。【選択図】図２
2010002333.tif 000002
【特許請求の範囲】
【請求項１】
電子情報に対する編集履歴情報をメモリに一時的に記録する記録手段と、
緊急地震速報を受信する受信手段と、
前記受信手段により前記緊急地震速報が受信されたとき、前記記録手段により前記メモリに一時的に記録されている前記編集履歴情報をハードディスクドライブに保存する保存手段と
を備えることを特徴とする情報処理装置。
【請求項２】
前記記録手段により記録される前記編集履歴情報の記録容量が閾値に達した場合、前記保存手段は、前記メモリから前記編集履歴情報を読み出して前記ハードディスクドライブに保存する
ことを特徴とする請求項１に記載の情報処理装置。
【請求項３】
前記保存手段により前記編集履歴情報が前記ハードディスクドライブに保存されたとき、前記メモリから前記編集履歴情報を削除する削除手段をさらに備える
ことを特徴とする請求項１または２に記載の情報処理装置。
【請求項４】
前記保存手段により保存された前記編集履歴情報を前記電子情報に反映するファイル構築手段をさらに備える
ことを特徴とする請求項１乃至３いずれかに記載の情報処理装置。
【発明の詳細な説明】
【技術分野】
【０００１】
本発明は、情報処理装置に関し、特に、地震発生前に配信される緊急地震速報を受信したときに、電子情報に対する編集履歴情報を待避させることでデータ保全を行うことができる情報処理装置に関する。
【背景技術】
【０００２】
医用系の情報管理端末では、操作者により、電子カルテなどの電子情報の保存が行われると、それまでの編集操作の内容を確定し、ハードディスクドライブなどの記憶媒体に保存するようになされている。
【０００３】
日本のような地震大国では、電子情報の編集中に地震が起きることは珍しいものではない。
【０００４】
そこで、例えば、特許文献１には、地震発生を検知して地震情報を迅速に伝えることにより、データのバックアップをするなどの地震災害に備える仕組みが提案されている。
【特許文献１】特開２００７−２７１４７８号公報
【発明の開示】
【発明が解決しようとする課題】
【０００５】
しかしながら、特許文献１の技術では、既に地震が起きている状態で、データのバックアップを行うなどの対処を行わなければならない課題があった。
【０００６】
つまり、地震情報が通知された時点で既に地震は発生しており、地震が原因で発生する、ネットワークやハードウェアのトラブルにより、編集中の内容を保存することができない課題があった。
【０００７】
また、電子情報をハードディスクドライブに保存している最中に地震によるトラブルが発生した場合、電子情報が壊れてしまう課題があった。
【０００８】
本発明はこのような状況に鑑みてなされたものであり、その目的は、地震発生前に配信される緊急地震速報を受信したときに、電子情報に対する編集履歴情報を待避させることでデータ保全を行うことができる情報処理装置を提供することである。
【課題を解決するための手段】
【０００９】
請求項１記載の発明の特徴は、電子情報に対する編集履歴情報をメモリに一時的に記録する記録手段と、緊急地震速報を受信する受信手段と、受信手段により緊急地震速報が受信されたとき、記録手段によりメモリに一時的に記録されている編集履歴情報をハードディスクドライブに保存する保存手段とを備える。
【発明の効果】
【００１０】
本発明によれば、地震発生前に配信される緊急地震速報を受信したときに、電子情報に対する編集履歴情報を待避させることでデータ保全を行うことが可能となる。
【発明を実施するための最良の形態】
【００１１】
以下、本発明の実施の形態について図面を参照して詳細に説明する。
【００１２】
図１は、本発明を適用したデータ保全システムの構成例を示す図である。このデータ保全システムにおいては、気象庁コンピュータ装置１０、医療施設２０内に設置される受信端末２１、および、医用情報管理端末２２−１乃至２２−３から構成されている。
【００１３】
気象庁コンピュータ装置１０は、気象庁が管轄するコンピュータ装置であって、地震発生の数秒乃至数十秒前に緊急地震速報を配信する。地震は、Ｐ波と呼ばれる小さな揺れのあと、Ｓ波と呼ばれる大きな揺れが来ることがわかっている。そこで、気象庁では、このＰ波をとらえ、地震の規模や震源地を予測し、大きな揺れのＳ波が来る（例えば、震度５弱以上の地震が発生する）と予測した場合、地震発生の数秒から数十秒前に緊急地震速報を配信するようになされている。
【００１４】
医療施設２０内に設置される受信端末２１と、医用情報管理端末２２−１乃至２２−３は、バス２３を介して互いに接続されている。
【００１５】
受信端末２１は、一般的なコンピュータ装置からなり、プログラムとこのプログラム処理に必要となるデータを記憶する主記憶装置（例えばHDD（Hard Disc Drive））、プログラムやデータに基づいて演算処理を行なうCPU(Central Processing Unit)、ROM（Read Only Memory）、およびRAM（Random Access Memory）などから構成されている。受信端末２１は、気象庁コンピュータ装置１０から配信されてきた緊急地震速報を受信し、バス２３を介して医用情報管理端末２２−１乃至２２−３に供給する。
【００１６】
医用情報管理端末２２−１乃至２２−３は、医療施設２０で取り扱われる情報を管理する装置であり、CPU、ROM、RAM、およびHDDなどを実装したコンピュータ装置である。医用情報管理端末２２−１乃至２２−３には、例えば、HIS（Hospital Information System）、RIS（Radiology Information System）、およびPACS（Picture Archiving Communication System）などが含まれる。HISは、会計や検査の予約、薬の処方、食事の管理などの情報を管理するシステムである。RISは、放射線部門の患者、予約、診断結果登録、薬品、フィルム等の情報、実際に行われた検査内容、その検査内容の治療実績等の情報を管理するシステムである。PACSは、各種画像診断装置から得た検査画像を管理するシステムである。
【００１７】
通常時、医用情報管理端末２２−１乃至２２−３は、操作者が行った電子情報に対する編集操作の内容を編集履歴情報としてメモリに一時的に記録する。医用情報管理端末２２−１乃至２２−３は、メモリに一時的に記録される編集履歴情報の記録容量が閾値に達したとき、メモリから編集履歴情報を読み出してHDDに保存するとともに、メモリにそれまで記録されていた編集履歴情報を削除する。これにより、新たな編集履歴情報をメモリに一時的に記録することができる。
【００１８】
ここで、メモリに記録される編集履歴情報の記録容量が閾値に達するサイズとは、緊急地震速報を受けてから地震が発生するまでの時間内に、メモリから編集履歴情報を読み出してHDDに保存することができるサイズである。
【００１９】
また、操作者により、電子情報の保存が指示されたとき、医用情報管理端末２２−１乃至２２−３は、電子情報をHDDに保存し、メモリ内の編集履歴情報、および、HDD内の編集履歴情報を削除する。すなわち、編集履歴情報は、電子情報の保存が指示される直前までの、いわばバックアップ用の情報であり、電子情報の保存が指示されることにより、それまで一時的にバックアップされていた編集履歴情報は不要になるため、メモリやHDDから削除される。
【００２０】
緊急地震速報受信時、医用情報管理端末２２−１乃至２２−３は、受信端末２１から受信した緊急地震速報のイベントを受けて、メモリに一時的に記録中の編集履歴情報を読み出してHDDに保存する。これにより、地震が発生する直前までの編集履歴情報を安全にHDDに待避させることができる。
【００２１】
ファイル構築時、医用情報管理端末２２−１乃至２２−３は、操作者によりシステムの復旧を図るべくファイル構築が指示されたとき、HDDに保存されている編集履歴情報を電子情報に反映させることでファイル構築を行う。そして、ファイル構築が終了したとき、医用情報管理端末２２−１乃至２２−３は、HDD内の編集履歴情報を削除する。これにより、地震発生直前まで行われていた編集内容が反映された電子情報を復元することができる。
【００２２】
なお、本実施の形態では、受信端末２１は、医用情報管理端末２２−１乃至２２−３と別体で図示しているが、医用情報管理端末２２−１乃至２２−３がそれぞれ気象庁コンピュータ装置１０から配信される緊急地震速報を直接受信するようにしてもよい。また、医用情報管理端末２２−１乃至２２−３の数は任意であり、図１に示されるように３つに限られるものではない。以下において、医用情報管理端末２２−１乃至２２−３を個々に区別する必要が無い場合、単に、医用情報管理端末２２と称する。
【００２３】
図２は、医用情報管理端末２２の機能構成例を示すブロック図である。図２に示す機能部のうちの少なくとも一部は、データ保全プログラムなどがCPUにより読み込まれ、実行されることによって実現される。
【００２４】
図２に示すように、医用情報管理端末２２は、操作検出部２２ａ、編集履歴記録部２２ｂ、編集履歴HDD保存部２２ｃ、編集履歴削除部２２ｄ、緊急地震速報受信部２２ｅ、ファイル保存部２２ｆ、ファイル構築部２２ｇ、メモリ２２ｈ、およびHDD２２ｉの機能を有している。
【００２５】
操作検出部２２ａは、操作者により図示せぬ入力部が用いられることによって行われた操作の内容を表わす信号を検出する。例えば、操作検出部２２ａは、電子情報に対する編集操作の内容を表す信号を検出したとき、その検出結果を編集履歴記録部２２ｂに供給する。また操作検出部２２ａは、電子情報の保存の指示を表す信号を検出したとき、その検出結果をファイル保存部２２ｆに供給する。さらに操作検出部２２ａは、電子情報のファイル構築の指示を表す信号を検出したとき、その検出結果をファイル構築部２２ｇに供給する。
【００２６】
編集履歴記録部２２ｂは、操作検出部２２ａから供給された電子情報の編集操作の内容を表す信号に基づいて、編集操作の内容を編集履歴情報としてメモリ２２ｈに一時的に記録する。この編集履歴記録部２２ｂが、電子情報に対する編集履歴情報をメモリに一時的に記録する記録手段として機能する。
【００２７】
編集履歴記録部２２ｂは、メモリ２２ｈに一時的に記録される編集履歴情報の記録容量が閾値に達したと判断した場合、編集履歴HDD保存部２２ｃに対して、メモリ２２ｈから編集履歴情報を読み出してHDD２２ｉに保存するように指示する。上述したように、編集履歴情報の記録容量は、緊急地震速報を受けてから地震が発生するまでの時間内に、メモリ２２ｈから編集履歴情報を読み出してHDD２２ｉに保存することができるサイズである。
【００２８】
編集履歴HDD保存部２２ｃは、編集履歴記録部２２ｂからの指示に基づいて、メモリ２２ｈに一時的に記録されている編集履歴情報を読み出してHDD２２ｉに保存（待避）する。この編集履歴HDD保存部２２ｃが、メモリに一時的に記録されている編集履歴情報をハードディスクドライブに保存する保存手段として機能する。
【００２９】
また編集履歴HDD保存部２２ｃは、緊急地震速報受信部２２ｅから緊急地震速報を受信したとき、メモリ２２ｈから編集履歴情報を読み出してHDD２２ｉに保存する。
【００３０】
編集履歴HDD保存部２２ｃは、メモリ２２ｈから読み出した編集履歴情報をHDD２２ｉに保存することができたと判断した場合、編集履歴削除部２２ｄに対して、メモリ２２ｈ内の編集履歴情報を削除するように指示する。
【００３１】
編集履歴削除部２２ｄは、編集履歴HDD保存部２２ｃからの指示に基づいて、メモリ２２ｈ内の編集履歴情報を削除する。この編集履歴削除部２２ｄが、メモリから編集履歴情報を削除する削除手段として機能する。
【００３２】
また編集履歴削除部２２ｄは、ファイル保存部２２ｆからの指示に基づいて、メモリ２２ｈ内およびHDD２２ｉ内の編集履歴情報を削除する。さらに編集履歴削除部２２ｄは、ファイル構築部２２ｇからの指示に基づいて、HDD２２ｉ内の編集履歴情報を削除する。
【００３３】
緊急地震速報受信部２２ｅは、受信端末２１からバス２３を介して供給される緊急地震速報を受信し、それを編集履歴HDD保存部２２ｃに供給する。この緊急地震速報受信部２２ｅが、緊急地震速報を受信する受信手段として機能する。
【００３４】
ファイル保存部２２ｆは、操作検出部２２ａから供給された電子情報の保存の指示を表す信号に基づいて、HDD２２ｉに電子情報を保存する。ファイル保存部２２ｆは、HDD２２ｉに電子情報を保存することができたと判断した場合、編集履歴削除部２２ｄに対して、メモリ２２ｈ内およびHDD２２ｉ内の編集履歴情報を削除するように指示する。
【００３５】
ファイル構築部２２ｇは、操作検出部２２ａから供給された電子情報のファイル構築の指示を表す信号に基づいて、HDD２２ｉに保存されている編集履歴情報を、保存日時の古いものから電子情報に反映してファイル構築を行う。このファイル構築部２２ｇが、編集履歴情報を電子情報に反映するファイル構築手段として機能する。
【００３６】
ファイル構築部２２ｇは、電子情報のファイル構築が終了したと判断した場合、編集履歴削除部２２ｄに対して、HDD２２ｉ内の編集履歴情報を削除するように指示する。
【００３７】
メモリ２２ｈは、例えば、EPROM（Erasable Programmable ROM）からなり、編集履歴情報などを記録する。HDD２２ｉは、編集履歴情報や電子情報などを記録する。
【００３８】
次に、図３のフローチャートを参照して、医用情報管理端末２２における通常処理について説明する。
【００３９】
ステップＳ１において、操作検出部２２ａは、操作者により入力部が用いられて電子情報に対する編集操作が行われ、その編集操作の内容を表す信号を検出したか否かを判定する。
【００４０】
ステップＳ１において、電子情報に対する編集操作が行われたことが検出された場合、ステップＳ２に進み、編集履歴記録部２２ｂは、ステップＳ１の処理で検出された電子情報に対する編集操作の内容を表す信号に基づいて、編集履歴記録処理を行う。この編集履歴記録処理の詳細は、図４のフローチャートを参照して後述する。
【００４１】
ステップＳ２の処理で編集履歴記録処理が行われることにより、編集操作の内容が編集履歴情報としてメモリ２２ｈおよびHDD２２ｉに一時的に記録されていく。
【００４２】
一方、ステップＳ１において、電子情報に対する編集操作が行われていないと判定された場合、ステップＳ３に進む。
【００４３】
ステップＳ３において、操作検出部２２ａは、操作者により入力部が用いられてファイル保存が指示され、そのファイル保存の指示の内容を表す信号を検出したか否かを判定する。ステップＳ３において、ファイル保存の指示が検出されていない場合、ステップＳ２に戻り、編集履歴記録処理が繰り返し実行される。
【００４４】
そして、ステップＳ３において、ファイル保存の指示が検出された場合、ステップＳ４に進み、ファイル保存部２２ｆは、HDD２２ｉに電子情報を保存する。
【００４５】
ステップＳ５において、編集履歴削除部２２ｄは、メモリ２２ｈ内およびHDD２２ｉ内の編集履歴情報を削除する。
【００４６】
このように、通常処理では、ファイル保存が指示される直前までの編集操作の内容が、編集履歴情報としてメモリ２２ｈおよびHDD２２ｉに一時的に記録されていく。そして、ファイル保存が指示されることにより、電子情報がHDD２２ｉに保存され、それまでの編集履歴情報がメモリ２２ｈやHDD２２ｉから削除される。
【００４７】
次に、図４のフローチャートを参照して、図３のステップＳ２の編集履歴記録処理の詳細について説明する。
【００４８】
ステップＳ２１において、編集履歴記録部２２ｂは、電子情報に対する編集操作の内容を編集履歴情報としてメモリ２２ｈに一時的に記録する。
【００４９】
ステップＳ２２において、編集履歴情報記録部２２ｂは、編集履歴情報の記録容量が閾値に達したか否かを判定し、編集履歴情報の記録容量が閾値に達していないと判定した場合、ステップＳ２１に戻り、上述した処理を繰り返し実行する。
【００５０】
そして、ステップＳ２２において、編集履歴情報の記録容量が閾値に達したと判定された場合、ステップ２３に進み、編集履歴HDD保存部２２ｃは、メモリ２２ｈに一時的に記録されている編集履歴情報を読み出してHDD２２ｉに保存する。
【００５１】
ステップＳ２４において、編集履歴削除部２２ｄは、メモリ２２ｈ内の編集履歴情報を削除する。メモリ２２ｈ内の編集履歴情報が削除された後、処理は、図３のステップＳ３に戻る。
【００５２】
このように、編集履歴記録処理では、編集履歴情報が一時的にメモリ２２ｈに記録される。そして、メモリ２２ｈに記録される編集履歴情報の記録容量が閾値に達した場合、メモリ２２ｈから編集履歴情報が読み出されてHDD２２ｉに保存されるとともに、メモリ２２ｈ内の編集履歴情報が削除される。これにより、新たな編集履歴情報をメモリ２２ｈに一時的に記録することができる。
【００５３】
次に、図５のフローチャートを参照して、医用情報管理端末２２における緊急地震速報受信時の編集履歴記録処理について説明する。
【００５４】
ステップＳ３１において、緊急地震速報受信部２２ｅは、受信端末２１から緊急地震速報を受信したか否かを判定し、緊急地震速報を受信したと判定するまで待機する。そして。ステップＳ３１において、緊急地震速報を受信したと判定された場合、ステップＳ３２に進み、編集履歴HDD保存部２２ｃは、メモリ２２ｈに一時的に記録されている編集履歴情報を読み出してHDD２２ｉに保存する。
【００５５】
ステップＳ３３において、編集履歴削除部２２ｄは、メモリ２２ｈ内の編集履歴情報を削除する。
【００５６】
このように、緊急地震速報受信時の編集履歴記録処理では、緊急地震速報が受信されたとき、メモリ２２ｈに一時的に記録されている編集履歴情報が読み出されてHDD２２ｉに保存される。これにより、地震が発生する直前までの編集履歴情報を安全にHDD２２ｉに待避させることができる。
【００５７】
次に、図６のフローチャートを参照して、医用情報管理端末２２におけるファイル構築処理について説明する。
【００５８】
ステップＳ４１において、操作検出部２２ａは、操作者により入力部が用いられてファイル構築が指示され、そのファイル構築の指示の内容を表す信号を検出したか否かを判定する。ステップＳ４１の処理では、ファイル構築が指示されたことを検出するまで待機する。
【００５９】
そして、ステップＳ４１において、ファイル構築が指示されたことが検出された場合、ステップＳ４２に進み、ファイル構築部２２ｇは、HDD２２ｉを参照する。
【００６０】
ステップＳ４３において、ファイル構築部２２ｇは、ステップＳ４２の処理によるHDD２２ｉの参照の結果、編集履歴情報があるか否かを判定し、HDD２２ｉに編集履歴情報があると判定した場合、ステップＳ４４に進む。
【００６１】
ステップＳ４４において、ファイル構築部２２ｇは、HDD２２ｉに保存されている編集履歴情報を読み出し、読み出した編集履歴情報を電子情報に反映してファイル構築を行う。このとき、編集履歴情報は、保存日時の古いものから順に電子情報に反映される。
【００６２】
ステップＳ４５において、ファイル構築部２２ｇは、ファイル構築処理が終了したか否かを判定し、まだファイル構築処理が終了していないと判定した場合、ステップＳ４６に進む。ステップＳ４６において、ファイル構築部２２ｇは、電子情報に反映している編集履歴情報が読み込みエラーになったか否かを判定し、読み込みエラーになっていないと判定した場合、ステップＳ４４に戻り、上述した処理を繰り返し実行する。
【００６３】
ステップＳ４５において、ファイル構築処理が終了したと判定された場合、または、ステップＳ４６において、編集履歴情報が読み込みエラーになったと判定された場合、ステップＳ４７に進み、編集履歴削除部２２ｄは、HDD２２ｉ内の編集履歴情報を削除する。
【００６４】
また、ステップＳ４３において、編集履歴情報がないと判定された場合、処理は終了される。すなわち、この場合は、電子情報に反映すべき編集履歴情報がHDD２２ｉに存在しないため、ファイル構築処理は行われない。
【００６５】
このように、ファイル構築処理では、緊急地震速報の受信時にHDD２２ｉに保存された編集履歴情報が電子情報に反映されてファイル構築が行われる。これにより、待避されていた編集内容が反映された電子情報を復元することができる。
【００６６】
また、編集履歴情報が読み込みエラーになった時点で、ファイル構築処理を終了することで、電子情報自体が壊れてしまう、いわゆるファイル損失を防止することができる。
【００６７】
以上のような通常時および緊急地震速報受信時の編集履歴記録処理の動作状態の遷移について、さらに説明する。
【００６８】
図７は、通常時における医用情報管理端末２２の動作状態の遷移を示す図である。
【００６９】
図７に示す動作状態遷移図の例では、「イベント待ち」の状態において、操作者によって電子情報に対する「編集操作」が行われた場合、そのイベントを認識して「メモリ上に編集履歴情報の記録」の状態に遷移する（図４のＳ２１）。
【００７０】
「メモリ上に編集履歴情報の記録」の状態において、メモリ２２ｈに記録される編集履歴情報の記録容量が閾値に達した場合、そのイベントを認識して「HDDに編集履歴情報の保存」の状態に遷移する（図４のＳ２３）。
【００７１】
「HDDに編集履歴情報の保存」の状態において、編集履歴HDD保存部２２ｃによる編集履歴情報の保存処理が終了した場合、そのイベントを認識して「メモリ内の編集履歴情報の削除」の状態に遷移する（図４のＳ２４）。
【００７２】
また「イベント待ち」の状態において、操作者によって「ファイル保存」が指示された場合、そのイベントを認識して「ファイル保存」の状態に遷移する（図３のＳ４）。
【００７３】
「ファイル保存」の状態において、ファイル保存処理が終了した場合、そのイベントを認識して「メモリ内およびHDD内の編集履歴情報の削除」の状態に遷移する（図３のＳ５）。
【００７４】
このように、電子情報に対する編集操作が行われた場合、ファイル保存が指示された場合、メモリ２２ｈに一時的に記録される編集履歴情報の記録容量が閾値に達した場合、または、編集履歴情報の保存処理が終了した場合などのイベントを認識して、通常時における医用情報管理端末２２の動作状態が遷移する。
【００７５】
図８は、緊急地震速報の受信時における医用情報管理端末２２の動作状態の遷移を示す図である。
【００７６】
図８に示す動作状態遷移図の例では、「イベント待ち」の状態において、「緊急地震速報」が受信されたとき、そのイベントを認識して「HDDに編集履歴情報の保存」の状態に遷移する（図５のＳ３２）。
【００７７】
「HDDに編集履歴情報の保存」の状態において、編集履歴情報の保存処理が終了した場合、そのイベントを認識して「メモリ内の編集履歴情報の削除」の状態に遷移する（図５のＳ３３）。
【００７８】
また「イベント待ち」の状態において、「ファイル構築」が指示された場合、そのイベントを認識して「ファイル構築」の状態に遷移する（図６のＳ４４）。
【００７９】
このように、十数秒乃至数十秒後に起きる地震を予測して配信される緊急地震速報を受信した場合、編集履歴情報の保存処理が終了した場合、またはファイル構築が指示された場合などのイベントを認識して、緊急地震速報の受信時における医用情報管理端末２２の動作状態が遷移する。
【００８０】
以上のように、本実施の形態によれば、気象庁から配信される緊急地震速報を受信したとき、メモリ２２ｈに一時的に記録されている編集履歴情報を読み出してHDD２２ｉに保存することができる。すなわち、地震が原因で発生する、ネットワークやハードウェアのトラブルがあったとしても、電子情報の編集操作の内容を安全に待避させることができる。
【００８１】
これにより、システムを復旧させた場合、HDD２２ｉに待避されている編集履歴情報を読み出して電子情報に反映させることにより、容易に、地震発生直前まで行われていた編集内容が反映された電子情報を復元することができる。
【００８２】
また、編集履歴情報が読み込みエラーになった時点で、ファイル構築を終了するため、電子情報自体が壊れてしまうことを防止することが可能となる。
【００８３】
なおこの発明は、上記実施の形態そのままに限定されるものではなく、実施段階ではその要旨を逸脱しない範囲で構成要素を変形して具体化したり、上記実施の形態に開示されている複数の構成要素を適宜組み合わせたりすることにより種々の発明を形成できる。例えば、実施の形態に示される全構成要素から幾つかの構成要素を削除してもよい。さらに、異なる実施の形態に亘る構成要素を適宜組み合わせても良い。
【図面の簡単な説明】
【００８４】
【図１】データ保全システムの構成例を示す図である。
【図２】医用情報管理端末の機能構成例を示す図である。
【図３】通常処理を説明するフローチャートである。
【図４】図３のステップＳ２の編集履歴記録処理の詳細を説明するフローチャートである。
【図５】緊急地震速報受信時の編集履歴記録処理を説明するフローチャートである。
【図６】ファイル構築処理を説明するフローチャートである。
【図７】通常時における医用情報管理端末の動作状態の遷移を示す図である。
【図８】緊急地震速報の受信時における医用情報管理端末の動作状態の遷移を示す図である。
【符号の説明】
【００８５】
２２−１  医用情報管理端末
２２−２  医用情報管理端末
２２−３  医用情報管理端末
２２ｂ  編集履歴記録部
２２ｃ  編集履歴HDD保存部
２２ｄ  編集履歴削除部
２２ｅ  緊急地震速報受信部
２２ｆ  ファイル保存部
２２ｇ  ファイル構築部
２２ｈ  メモリ
２２ｉ  HDD
【図１】
2010002333.tif 000003
【図２】
2010002333.tif 000004
【図３】
2010002333.tif 000005
【図４】
2010002333.tif 000006
【図５】
2010002333.tif 000007
【図６】
2010002333.tif 000008
【図７】
2010002333.tif 000009
【図８】
2010002333.tif 000010